(57)【要約】【課題】意図しない利用を判別し適切に処理する改札処理方法を提供すること。【解決手段】この発明の改札処理方法は、情報記憶媒体に記録された情報を読み取り、前記読み取られた情報に含まれる改札処理の履歴情報に基づき前回改札処理から現在時刻までの時間間隔を検出し、この時間間隔に基づき今回改札処理の必要性を判定し、前記判定の結果に基づき今回改札処理の実行を制御する。【選択図】      図４
2007072996.tif 000002
【特許請求の範囲】
【請求項１】
情報記憶媒体に記録された情報を読み取る読取手段と、
前記読取手段により読み取られた情報に含まれる処理の履歴情報に基づき前回処理から現在時刻までの時間間隔を検出し、この時間間隔に基づき今回処理の必要性を判定する判定手段と、
前記判定手段の判定結果に基づき今回処理の実行を制御する制御手段と、
を備えたことを特徴とする媒体処理装置。
【請求項２】
入場改札処理を実行する改札装置であって、
情報記憶媒体に記録された入出場履歴情報を読み取る読取手段と、
前記読取手段により読み取られた入出場履歴情報に基づき、前回改札処理が出場改札処理か否かを確認し、前回の出場改札処理から現在時刻までの時間間隔が、予め設定した設定時間内か否かを判定する判定手段と、
前記判定手段による前記設定時間内であるとの判定に基づいて今回の入場改札処理をキャンセルし、前記設定時間を超過しているとの判定に基づいて今回の入場改札処理を実行する処理手段と、
を備えたことを特徴とする改札装置。
【請求項３】
出場改札処理を実行する改札装置であって、
情報記憶媒体に記録された入出場履歴情報を読み取る読取手段と、
前記読取手段により読み取られた入出場履歴情報に基づき、前回改札処理が入場改札処理か否かを確認し、前回の入場改札処理から現在時刻までの時間間隔が、予め設定した設定時間内か否かを判定する判定手段と、
前記判定手段による前記設定時間内であるとの判定に基づいて今回の出場改札処理をキャンセルし、前記設定時間を超過しているとの判定に基づいて今回の出場改札処理を実行する処理手段と、
を備えたことを特徴とする改札装置。
【請求項４】
前記設定時間内であるとの判定に基づいて、誤かざしであった旨を知らせる手段を備えたことを特徴とする請求項２又は３に記載の改札装置。
【請求項５】
前記処理手段は、前記判定手段による前記設定時間を超過しているとの判定に基づいて、所定金額を要求する手段を備えたことを特徴とする請求項２又は３に記載の改札装置。
【請求項６】
入場改札処理を実行する入場改札装置及び出場改札処理を実行する出場改札装置を備えた改札システムであって、
前記入場改札装置は、
情報記憶媒体に記録された入出場履歴情報を読み取る第１の読取手段と、
前記第１の読取手段により読み取られた入出場履歴情報に基づき、前回改札処理が出場改札処理か否かを確認し、前回の出場改札処理から現在時刻までの時間間隔が、予め設定した第１の設定時間内か否かを判定する第１の判定手段と、
前記第１の判定手段による前記第１の設定時間内であるとの判定に基づいて今回の入場改札処理をキャンセルし、前記第１の設定時間を超過しているとの判定に基づいて今回の入場改札処理を実行する第１の処理手段と、
を備え、
前記出場改札装置は、
情報記憶媒体に記録された入出場履歴情報を読み取る第２の読取手段と、
前記第２の読取手段により読み取られた入出場履歴情報に基づき、前回改札処理が入場改札処理か否かを確認し、前回の入場改札処理から現在時刻までの時間間隔が、前記第１の設定時間と異なる第２の設定時間内か否かを判定する第２の判定手段と、
前記第２の設定時間内であるとの判定に基づいて今回の出場改札処理をキャンセルし、前記第２の設定時間を超過しているとの判定に基づいて今回の出場改札処理を実行する第２の処理手段と、
を備えたことを特徴とする改札システム。
【請求項７】
情報記憶媒体に記録された情報を読み取る読取手段と、
前記読取手段により読み取られた情報に含まれる処理の履歴情報に基づき、連続する第１及び第２の処理の時間間隔を検出し、この時間間隔に基づき前記第１の処理の後続の前記第２の処理の有効性を判定する判定手段と、
前記判定手段の判定結果に基づき前記第２の処理をキャンセルする処理手段と、
を備えたことを特徴とする媒体処理装置。
【請求項８】
情報記憶媒体に記録された入出場履歴情報を読み取る読取手段と、
前記読取手段により読み取られた入出場履歴情報に基づき、連続する出場改札処理と入場改札処理の時間間隔が、予め設定した設定時間内か否かを判定する判定手段と、
前記判定手段による前記設定時間内であるとの判定に基づいて前記出場改札処理の後続の前記入場改札処理をキャンセルする処理手段と、
を備えたことを特徴とする改札装置。
【請求項９】
情報記憶媒体に記録された入出場履歴情報を読み取る読取手段と、
ｓ  前記読取手段により読み取られた入出場履歴情報に基づき、連続する入場改札処理と出場改札処理の時間間隔が、予め設定した設定時間内か否かを判定する判定手段と、
前記判定手段による前記設定時間内であるとの判定に基づいて前記入場改札処理の後続の前記出場改札処理をキャンセルする処理手段と、
を備えたことを特徴とする改札装置。
【請求項１０】
前記判定手段による前記設定時間を超過しているとの判定に基づいて、係員へ誘導する旨を知らせる手段を備えたことを特徴とする請求項８又は９に記載の改札装置。
【請求項１１】
情報記憶媒体に記録された情報を読み取り、
前記読み取られた情報に含まれる改札処理の履歴情報に基づき前回改札処理から現在時刻までの時間間隔を検出し、この時間間隔に基づき今回改札処理の必要性を判定し、
前記判定の結果に基づき今回改札処理の実行を制御する、
ことを特徴とする改札処理方法。
【請求項１２】
情報記憶媒体に記録された情報を読み取り、
前記読取手段により読み取られた情報に含まれる改札処理の履歴情報に基づき、連続する第１及び第２の改札処理の時間間隔を検出し、この時間間隔に基づき前記第１の処理の後続の前記第２の処理の有効性を判定し、
前記判定の結果に基づき前記第２の処理をキャンセルする、
ことを特徴とする改札処理方法。
【発明の詳細な説明】
【技術分野】
【０００１】
本発明は、コスト削減を目的に導入される改札装置、所謂、簡易型の改札装置に関する。また、本発明は、入場改札処理を実行する改札装置及び出場改札処理を実行する改札装置により構成される改札システムに関する。さらに、本発明は、このような改札装置に適用可能な改札処理方法に関する。
【背景技術】
【０００２】
近年、鉄道などの交通機関の駅には、駅係員の負担を軽減するために自動改札装置が設置されている。自動改札装置には、無線交信により乗車券の情報を読み取り、非接触で通行の可否を行っているものがある（特許文献１）。
【０００３】
また、上記の非接触型の自動改札装置には、簡易型と呼ばれる非接触型専用の装置がある。これらは、設置コストの低減を目的に導入されているが、人間検知機能がなく、さらに通行を阻止するドア等もない。このような簡易型の改札装置は、一般にポール型改札機と呼ばれ、通行制御がない部分を除いては、通常の改札機と同等の判定処理性能を有している。
【特許文献１】特開２００３−１９６６８６号
【発明の開示】
【発明が解決しようとする課題】
【０００４】
上記した簡易型の改札装置は、装置の筐体間に改札用の通路の形成を意識することなく設置される。また、このような改札装置は入場機及び出場機の区別があり、例えばこれら入場機及び出場機は並列して設置される。これに対して、装置の筐体間に改札用の通路を形成するように設置される従来型の改札装置（入場機及び出場機）は、入場改札用又は出場改札用の通路に沿った位置にＩＣカードの通信エリアを備えている。このため、入場改札用又は出場改札用の通路に進入したユーザが、本来の通信エリア以外の通信エリアにＩＣカードをかざしてしまうような誤かざしは、発生しにくかった。
【０００５】
しかし、簡易型の改札装置の場合、複数の改札装置が近い位置に設置されること、各装置に対応する改札用の通路が明確に区別されていないことなどから、誤って意図する装置と異なる装置にＩＣカードをかざしてしまう恐れがある。ＩＣカードが入場機に連続して２回かざされると、入場機は、複数人の利用とみなし、ＩＣカードに記載された乗降情報、カードのＩＤなどを参照して、処理をしない。
【０００６】
しかしながら、ＩＣカードが入場機にかざされた後に出場機にかざされると、ユーザが意図しないにもかかわらず、出場機はＩＣカードに対して降車処理を実行してしまう。この降車処理により、例えばＩＣカードに記録された金額情報から入場券相当の料金を引き去ることがある。また、ＩＣカードが出場機にかざされた後に入場機にかざされると、ユーザが意図しないにもかかわらず、入場機はＩＣカードに対して再入場処理を実行してしまう。このように、従来、誤かざし対策への考慮が不充分であった。
【０００７】
本発明の目的は、上記課題を解決するためになされたものであり、ユーザの意図しない情報記憶媒体（非接触型ＩＣカード）の提示を判別し適切に処理する改札装置及び改札処理方法を提供することにある。
【課題を解決するための手段】
【０００８】
この発明の改札装置、改札システム、及び改札処理方法は、以下のように構成されている。
【０００９】
（１）この発明の入場改札処理を実行する改札装置は、情報記憶媒体に記録された入出場履歴情報を読み取る読取手段と、前記読取手段により読み取られた入出場履歴情報に基づき、前回改札処理が出場改札処理か否かを確認し、前回の出場改札処理から現在時刻までの時間間隔が、予め設定した設定時間内か否かを判定する判定手段と、前記判定手段による前記設定時間内であるとの判定に基づいて今回の入場改札処理をキャンセルし、前記設定時間を超過しているとの判定に基づいて今回の入場改札処理を実行する処理手段とを備えている。
【００１０】
（２）この発明の改札システムは、入場改札処理を実行する入場改札装置及び出場改札処理を実行する出場改札装置を備え、
前記入場改札装置は、情報記憶媒体に記録された入出場履歴情報を読み取る第１の読取手段と、前記第１の読取手段により読み取られた入出場履歴情報に基づき、前回改札処理が出場改札処理か否かを確認し、前回の出場改札処理から現在時刻までの時間間隔が、予め設定した第１の設定時間内か否かを判定する第１の判定手段と、前記第１の判定手段による前記第１の設定時間内であるとの判定に基づいて今回の入場改札処理をキャンセルし、前記第１の設定時間を超過しているとの判定に基づいて今回の入場改札処理を実行する第１の処理手段とを備え、
前記出場改札装置は、情報記憶媒体に記録された入出場履歴情報を読み取る第２の読取手段と、前記第２の読取手段により読み取られた入出場履歴情報に基づき、前回改札処理が入場改札処理か否かを確認し、前回の入場改札処理から現在時刻までの時間間隔が、前記第１の設定時間と異なる第２の設定時間内か否かを判定する第２の判定手段と、前記第２の設定時間内であるとの判定に基づいて今回の出場改札処理をキャンセルし、前記第２の設定時間を超過しているとの判定に基づいて今回の出場改札処理を実行する第２の処理手段とを備えている。
【００１１】
（３）この発明の改札処理方法は、情報記憶媒体に記録された情報を読み取り、前記読み取られた情報に含まれる改札処理の履歴情報に基づき前回改札処理から現在時刻までの時間間隔を検出し、この時間間隔に基づき今回改札処理の必要性を判定し、前記判定の結果に基づき今回改札処理の実行を制御する。
【発明の効果】
【００１２】
本発明によれば、ユーザの意図しない情報記憶媒体（非接触型ＩＣカード）の提示を判別し適切に処理する改札装置及び改札処理方法を提供できる。
【発明を実施するための最良の形態】
【００１３】
以下、図面を参照し、本発明の実施形態について説明する。
【００１４】
図１は、本発明の一例の改札装置１（入場改札装置１１及び出場改札装置１２）の外観図を示している。図１に示すように、本発明の一例の改札システムは、入場改札処理を実行する入場改札装置１１、及び出場改札処理を実行する出場改札装置１２を備えている。
【００１５】
図２は、図１に示す改札装置の概略構成を示す図である。図２に示すように、改札装置１（入場改札装置１１及び出場改札装置１２）は、アンテナ２１、送受信部２２、電源回路２４、制御部２５、記憶部２６及び表示部２７を備えている。また、送受信部２２は、送信部２２ａ及び受信部２２ｂを備えている。
【００１６】
アンテナ２１は、情報記憶媒体としての非接触ＩＣカードＩＣＣとの間で電波の送受信を担う。以下、ここでは、非接触ＩＣカードＩＣＣを利用した改札処理について説明するが、この発明はこれに限定されるものではない。例えば、情報記憶媒体として、近距離無線通信が可能な携帯電話等を利用してもよい。送信部２２ａは、制御部２５の送信制御に基づき非接触ＩＣカードＩＣＣに対して送信する送信信号を変調し、アンテナへ供給する。受信部２２ｂは、アンテナ２１を介して受信された受信信号を復調し、制御部２５へ供給する。つまり、アンテナ２１及び送受信部２２は、非接触ＩＣカードＩＣＣに記録された情報を読み取る読取手段として機能する。電源回路２４は、各部で必要とされる電力を供給する。
【００１７】
記憶部２６は、アンテナ１１及び送受信部２２を介して非接触ＩＣカードＩＣＣから読み取られた情報（入出場履歴情報を含む）を記憶する。そして、図４で詳しく説明するが、判定手段、制御手段、及び処理手段として機能する制御部２５は、記憶部２６で記憶（管理）された入出場履歴情報に基づき、前回改札処理（前回入場改札処理／前回出場改札処理）から現在時刻までの時間間隔が予め設定された設定時間内か否かを判断し、設定時間内であると判断した場合には今回の改札処理（今回出場改札処理／今回入場改札処理）をキャンセルし、設定時間を超過していると判定した場合には今回の改札処理（今回出場改札処理／今回入場改札処理）を実行する。なお、前回改札処理とは、現在時刻に最も近い入出場履歴（直近の入出場履歴）である。言い換えると、前回改札処理とは、複数の入出場履歴のうち最新の入出場履歴を指す。また、現在時刻は、制御部２５の時刻カウンタ２５ａによりカウントされる。さらに、制御部２５による設定時間内であるとの判断に基づき、表示部２７は誤かざしであった旨を知らせる。
【００１８】
図３は、図１の改札装置に適用可能な非接触ＩＣカードの概略構成を示す図である。図３に示すように、非接触ＩＣカードＩＣＣは、アンテナ３１、送受信部３２、整流部３３、蓄電池３４、制御部３５、及び記憶部３６を備えている。また、送受信部３２は、送信部３２ａ及び受信部３２ｂを備えている。
【００１９】
アンテナ３１は、改札装置１との間で電波の送受信を担う。送信部３２ａは、制御部２５の送信制御に基づき改札装置１に対して送信する送信信号を変調し、アンテナへ供給する。受信部３２ａは、アンテナ３１を介して受信された受信信号を復調し、制御部３５へ供給する。整流部３３は、アンテナ３１を介して受信された充電電波を整流して電気エネルギに変換し、この電気エネルギを蓄電池３４へ送るものである。蓄電池３４は、整流部３３から送られる電気エネルギを蓄積（充電）し、カードの各部に動作電源を供給する。記憶部３６は、アンテナ３１及び送受信部３２を介して改札装置１から受信した情報（入出場履歴情報）を記憶する。
【００２０】
次に、図４に示すフローチャートを参照して、改札装置１によるユーザの意図しない誤かざしを判別し適切に処理する改札処理について説明する。図４は、誤かざしを自動判別し適切に処理（誤かざしの判断に基づき今回の改札処理をキャンセル）する改札処理を示すフローチャートである。ここでは、入場改札装置１１による入場改札処理、及び出場改札装置１２による出場改札処理を並行して同時に説明する。
【００２１】
入場改札装置１１（又は出場改札装置１２）は、ポーリング信号を送信し、非接触ＩＣカードＩＣＣからのレスポンスを待つ。ユーザにより非接触ＩＣカードＩＣＣが入場改札装置１１（又は出場改札装置１２）の通信エリアにかざされると、非接触ＩＣカードＩＣＣはポーリング信号を受信しレスポンスを出力する。入場改札装置１１（又は出場改札装置１２）は非接触ＩＣカードＩＣＣからのレスポンスを受信し（非接触ＩＣカードＩＣＣがかざされたことを検出し）、非接触ＩＣカードＩＣＣに対して所定のタイミングでリードコマンド／ライトコマンドを送信し、非接触ＩＣカードＩＣＣに記録された情報を読み取ったり、非接触ＩＣカードＩＣＣに対して情報を書き込んだりする。
【００２２】
図４に示すように、入場改札装置１１（又は出場改札装置１２）の送受信部２２が、非接触ＩＣカードＩＣＣからの情報を受信すると(ＳＴ１００、ＹＥＳ）、入場改札装置１１（又は出場改札装置１２）の制御部２５は、受信した情報（入出場履歴情報を含む）に基づき、前回改札処理が出場改札処理（又は入場改札処理）か否かを確認する。入場改札装置１１（又は出場改札装置１２）の制御部２５は、前回改札処理が出場改札処理（又は入場改札処理）でないと判断すると(ＳＴ１０１、ＮＯ）、つまり前回改札処理が入場改札処理（又は出場改札処理）であると判断すると、改札不許可判定を下す(ＳＴ１０２）。このように、入場改札装置１１（又は出場改札装置１２）の制御部２５は、今回の改札処理を含め連続する入場改札処理（又は連続する出場改札処理）を許可しない。入場改札装置１１（又は出場改札装置１２）の制御部２５が不許可判定を下した場合、例えば、表示部２７にはその旨が表示される。
【００２３】
入場改札装置１１（又は出場改札装置１２）の制御部２５は、前回改札処理が出場改札処理（又は入場改札処理）であると判断すると(ＳＴ１０１、ＹＥＳ）、前回の出場改札処理（又は入場改札処理）から現在時刻（入場時刻（又は出場時刻））までの時間間隔が、予め設定した時間内か否かを判定する(ＳＴ１０３）。制御部２５は、この時間間隔が予め設定された設定時間内であれば(ＳＴ１０３、ＹＥＳ)、誤かざしと判断し、今回の入場改札処理（又は出場改札処理）をキャンセルする。さらに、この誤かざし判断に対応して、表示部２７は誤かざしであった旨を知らせる(ＳＴ１０４）。表示部２７は、例えばパネル式表示である。また、表示部２７の替わりに（或いは表示部２７に加えて）、スピーカー等により誤かざしであった旨を音声案内しても良い。
【００２４】
また、制御部２５は、この時間間隔が予め設定された設定時間を超過していれば(ＳＴ１０３、ＮＯ）、利用者の意図で行った入場（又は出場）と判断する。そのため、入場（又は出場）に対応する所定金額を要求（請求）する（ＳＴ１０５）。後払い方式であれば、この所定金額は後日の支払いとなる。前払い方式であれば、この所定金額はその場で精算（引き去り）される。例えば、入場改札装置１１は、入場料金又は初乗り運賃を引き去る。また、出場改札装置１２は、前回の入場改札処理の履歴情報に基づき所定の運賃を引き去ったり、同駅での入出場であれば入場料金を引き去ったりする。
【００２５】
なお、誤かざしか否かを判断するための上記した設定時間は可変である。ユーザが意図する入場かユーザによる誤かざしかを判断するための設定時間（第１の設定時間）と、ユーザが意図する出場かユーザによる誤かざしかを判断するための設定時間（第２の設定時間）とを、違う値にすることもできる。例えば、第１の設定時間を第２の設定時間より短く取っても良いし、また逆に長くとっても良い。また、無人駅と有人駅で、設定時間を違う値とすることも可能であり、そのほか適宜、駅の差異や時間帯に応じても設定時間は任意に可変である。
【００２６】
次に、図５及び図６を参照して、ユーザ又は係員操作（ボタン操作）に対応して過去の改札処理の中から誤かざしによる処理を自動判別しキャンセルする処理について説明する。図５は、このキャンセル処理を実行する改札装置１ａ（入場改札装置１１ａ及び出場改札装置１２ａ）の概略構成を示す図である。この図５に示す改札装置１ａの基本構成は、図２に示す改札装置１と同じであるが、改札装置１ａは、図４に示す改札処理に替えてキャンセル処理を実行するためのキャンセルボタン２８を備え、またこのキャンセル処理の実行を示すキャンセル処理ランプ２９を備えている。キャンセルボタン２８を設けることで、過去の誤乗車をキャンセルでき、またキャンセル処理ランプ２９を設けることで、通常の改札処理と異なる処理（キャンセル処理）が実行されていることを周囲に報知することができる。
【００２７】
ユーザの誤かざしにより、非接触ＩＣカードＩＣＣに入出場履歴が記録されてしまうことがある。ユーザが入場する意志がないのに、ユーザの誤かざしにより非接触ＩＣカードＩＣＣに入場履歴が記録されてしまうと、この非接触ＩＣカードＩＣＣにより次回入場することができない。同様に、ユーザが出場する意志がないのに、ユーザの誤かざしにより非接触ＩＣカードＩＣＣに出場履歴が記録されてしまうと、この非接触ＩＣカードＩＣＣにより次回出場することができない。このような場合、つまり誤乗車キャンセルが必要であれば、ユーザ（又は係員）はキャンセルボタン２８を押して(ＳＴ２００、ＹＥＳ)、キャンセル処理をスタートさせる。キャンセルボタンの押下に対応して、キャンセル処理のスタートを示すキャンセル処理ランプ２９が点灯する（ＳＴ２０１）。
【００２８】
次にユーザ（又は係員）が非接触ＩＣカードＩＣＣをかざすことで、入場改札装置１１ａ（又は出場改札装置１２ａ）の送受信部２２が、非接触ＩＣカードＩＣＣからの情報を受信する（ＳＴ２０２）。入場改札装置１１ａ（又は出場改札装置１２ａ）の制御部２５は、受信した情報（入出場履歴情報を含む）に基づき、連続する第１の改札処理（出場改札処理又は入場改札処理）と第２の改札処理（入場改札処理又は出場改札処理）の時間間隔が予め設定した設定時間内か否かを判定する。入場改札装置１１ａ（又は出場改札装置１２ａ）の制御部２５は、第１の改札処理が出場改札処理（又は入場改札処理）であると判断すると(ＳＴ２０３、ＹＥＳ）、この第１の改札処理（出場改札処理又は入場改札処理）から第２の改札処理（入場改札処理又は出場改札処理）までの時間間隔が、予め設定した時間内か否かを判定する(ＳＴ２０５）。制御部２５は、この時間間隔が予め設定された設定時間内であれば、第２の改札処理（入場改札処理又は出場改札処理）をキャンセルする（ＳＴ２０６）。
【００２９】
また、制御部２５は、この時間間隔が予め設定された設定時間を超過していれば(ＳＴ２０５、ＮＯ）、誤乗車と判断しかねる。この場合、係員による確認を要するので、表示部２７により係員への誘導表示をして終了する（ＳＴ２０７）。
【００３０】
なお、誤かざしか否かを判断するための上記した設定時間は可変である。ユーザが意図する入場かユーザによる誤かざしかを判断するための設定時間（第１の設定時間）と、ユーザが意図する出場かユーザによる誤かざしかを判断するための設定時間（第２の設定時間）とを、違う値にすることもできる。例えば、第１の設定時間を第２の設定時間より短く取っても良いし、また逆に長くとっても良い。また、無人駅と有人駅で、設定時間を違う値とすることも可能でありそのほか適宜、駅の差異や時間帯に応じても設定時間は任意に可変である。
【００３１】
以上のように、本発明では、一定時間のタイマを設けることで、誤かざしによる機械上の意と反した処理を防止することができる。また、入場後の入場、出場後の出場のように、連続利用となっていることを警告表示することもできる。
【００３２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３３】
【図１】本発明の一例の改札装置を示す外観図。
【図２】図１の改札装置の概略構成（第１例）を示す図。
【図３】本発明の改札装置に適用可能な非接触ＩＣカード（情報記憶媒体）の概略構成を示す図。
【図４】図２に示す改札装置（第１例）による改札処理を示すフローチャート。
【図５】図１の改札装置の概略構成（第２例）を示す図である。
【図６】図５に示す改札装置（第２例）によるキャンセル処理を示すフローチャート。
【符号の説明】
【００３４】
１、１ａ…改札装置、１１、１１ａ…入場改札装置、１２、１２ａ…出場改札装置、２１…アンテナ、２２…送受信部、２５…制御部、２６…記憶部、２７…表示部、ＩＣＣ…非接触ＩＣカード、３１…アンテナ、３２…送受信部、３５…制御部、３６…記憶部
【図１】
2007072996.tif 000003
【図２】
2007072996.tif 000004
【図３】
2007072996.tif 000005
【図４】
2007072996.tif 000006
【図５】
2007072996.tif 000007
【図６】
2007072996.tif 000008